(57)【要約】【課題】短時間しか継続しない着呼であれば、着信履歴に発信者番号が残ることを阻止可能な電話機を提供する。【解決手段】携帯電話機１の制御部１２は着信を検出すると、タイマ１４をスタートさせ、その後に発信者の番号を着信メモリ１３１に着信履歴として記憶する。制御部１２は着信が途中で途切れた場合、タイマ１４の計測値が所定の値より小さければ、発信者番号を着信メモリ１３１から削除した上で、タイマ１４の計測値をリセットし、着信の検出待ち状態となる。制御部１２はタイマ１４の計測値が所定の値より大きければ、着信メモリ１３１の記憶内容をそのままにし、タイマ１４の計測値をリセットし、着信の検出待ち状態となる。制御部１２は着信が途中で途切れず、着信継続中の場合に、オフフックを検出すると、そのまま通話に移行する。【選択図】　　　図１
2004128824.tif 000002
【特許請求の範囲】
【請求項１】
着信時に発信者の電話番号を着信履歴として記録する機能を含む電話機であって、前記着信を検出した時からの経過時間を計測するタイマ手段と、前記タイマ手段の計測結果が予め設定された所定の時間以上の場合に前記発信者の電話番号を前記着信履歴として残すよう制御する制御手段とを有することを特徴とする電話機。
【請求項２】
前記制御手段は、前記着信が中断した時点で前記タイマ手段の計測結果が前記所定の時間以下の場合に前記発信者の電話番号を前記着信履歴から削除することを特徴とする請求項１記載の電話機。
【請求項３】
前記所定の時間を変更自在としたことを特徴とする請求項１または請求項２記載の電話機。
【請求項４】
前記制御手段による制御の実行の有無を設定自在としたことを特徴とする請求項１から請求項３のいずれか記載の電話機。
【請求項５】
前記着信が中断する前にオフフックされて通話が成立した場合に前記タイマ手段の計測結果に関わらず前記発信者の電話番号を前記着信履歴に残すことを特徴とする請求項１から請求項４のいずれか記載の電話機。
【請求項６】
着信時に発信者の電話番号を着信履歴として記録する機能を含む電話機の着信番号処理方法であって、前記着信を検出した時からの経過時間を計測するステップと、その計測結果が予め設定された所定の時間以上の場合に前記発信者の電話番号を前記着信履歴として残すステップとを有することを特徴とする着信番号処理方法。
【請求項７】
前記発信者の電話番号を前記着信履歴として残すステップは、前記着信が中断した時点で前記計測結果が前記所定の時間以下の場合に前記発信者の電話番号を前記着信履歴から削除することを特徴とする請求項６記載の着信番号処理方法。
【請求項８】
前記所定の時間を変更自在としたことを特徴とする請求項６または請求項７記載の着信番号処理方法。
【請求項９】
前記発信者の電話番号を前記着信履歴として残す制御の実行の有無を設定自在としたことを特徴とする請求項６から請求項８のいずれか記載の着信番号処理方法。
【請求項１０】
前記着信が中断する前にオフフックされて通話が成立した場合に前記計測結果に関わらず前記発信者の電話番号を前記着信履歴に残すことを特徴とする請求項６から請求項９のいずれか記載の着信番号処理方法。
【請求項１１】
着信時に発信者の電話番号を着信履歴として記録する機能を含む電話機の着信番号処理方法のプログラムであって、コンピュータに、前記着信を検出した時からの経過時間を計測する処理と、その計測結果が予め設定された所定の時間以上の場合に前記発信者の電話番号を前記着信履歴として残す処理とを実行させるためのプログラム。
【発明の詳細な説明】
【０００１】
【発明の属する技術分野】
本発明は電話機及びそれに用いる着信番号処理方法並びにそのプログラムに関し、特に発信者の電話番号を着信履歴として記録する機能を有する電話機の着信番号処理方法に関する。
【０００２】
【従来の技術】
近年、一般の電話機や携帯電話機においては、発信者の電話番号を履歴として記憶する機能を有する端末が広く普及している。この機能があれば、使用者が電話機から離れていて通話ができなかった場合でも、着信履歴が残っているため、折り返し電話することによって、発信者との連絡をスムーズに行うことができるというメリットがある。
【０００３】
従来の着信番号処理の方法を図４に示す。この図４を参照して着信番号処理の方法について説明する。電話機では通話を行っていない場合、通常、着信を検出する着信待ちの状態にある（図４ステップＳ２１）。
【０００４】
電話機は着信を検出すると、発信者の電話番号を直ちに着信メモリ（着信履歴を記憶するメモリ）に記録する（図４ステップＳ２２）。電話機は着信継続でなければ、つまり着信が切断されると（図４ステップＳ２３）、ステップＳ２１に戻って再度着信待ちの状態となる。電話機は着信が継続され（図４ステップＳ２３）、オフフックになると（図４ステップＳ２４）、初めて通話状態になる（図４ステップＳ２５）。
【０００５】
上記のように、従来の着信番号処理の方法では、着信を検出すると、発信者の電話番号を直ちに着信履歴に記憶する方法が一般的である（例えば、特許文献１〜４参照）。
【０００６】
【特許文献１】
特開平１１−１７７６７５号公報（第９〜１２頁、図１）
【特許文献２】
特開２０００−１７４８９１号公報（第７〜９頁、図１）
【特許文献３】
特開２００１−２１７９０３号公報（第４〜６頁、図１）
【特許文献４】
特開２００１−２５１４１３号公報（第３頁、図１）
【０００７】
【発明が解決しようとする課題】
しかしながら、従来の着信番号処理の方法では、着信を検出すると、発信者の電話番号を直ちに着信履歴に記憶する方法がとられているため、最近になってこの機能を悪用する例が目立っている。
つまり、不特定多数の電話機に特殊な装置を使って、むやみやたらに電話をかけ、着信した瞬間に発信を止める、いわゆる“ワン切り”という行為が社会問題になっている。“ワン切り”においては、相手がオフフックし、通話が成立するまでに発信を終了してしまうので、電話料金は全くかからない。
【０００８】
ところが、従来の着信番号処理の方法では、上述した処理の流れのように、着信を検出すると、発信者の電話番号を直ちに着信履歴に記憶しているため、一瞬でも着信が検出されれば、発信者の電話番号だけは着信した電話機に着信履歴として残るのである。
【０００９】
着信した電話機の使用者が、着信履歴に残る発信者の電話番号を見て、折り返し電話すると、悪質な電話につながり、法外な料金を請求されるという事例が発生している。
【００１０】
また、“ワン切り”の業者は、上述したように、特殊な装置を用いてむやみやたらに大量の無料発呼を繰返すので、電話網がパンクして麻痺するという悪影響も発生している。
【００１１】
そこで、本発明の目的は上記の問題点を解消し、短時間しか継続しない着呼であれば、着信履歴に発信者番号が残ることを阻止することができる電話機及びそれに用いる着信番号処理方法並びにそのプログラムを提供することにある。
【００１２】
【課題を解決するための手段】
本発明による電話機は、着信時に発信者の電話番号を着信履歴として記録する機能を含む電話機であって、前記着信を検出した時からの経過時間を計測するタイマ手段と、前記タイマ手段の計測結果が予め設定された所定の時間以上の場合に前記発信者の電話番号を前記着信履歴として残すよう制御する制御手段とを備えている。
【００１３】
本発明による着信番号処理方法は、着信時に発信者の電話番号を着信履歴として記録する機能を含む電話機の着信番号処理方法であって、前記着信を検出した時からの経過時間を計測するステップと、その計測結果が予め設定された所定の時間以上の場合に前記発信者の電話番号を前記着信履歴として残すステップとを備えている。
【００１４】
本発明による着信番号処理方法のプログラムは、着信時に発信者の電話番号を着信履歴として記録する機能を含む電話機の着信番号処理方法のプログラムであって、コンピュータに、前記着信を検出した時からの経過時間を計測する処理と、その計測結果が予め設定された所定の時間以上の場合に前記発信者の電話番号を前記着信履歴として残す処理とを実行させている。
【００１５】
すなわち、本発明の電話機は、着信履歴を記録する機能を含む電話機において、着信検出時からの経過時間を計測するタイマ手段を有し、このタイマ手段の計測結果を基に、着信状態が所定の時間（Ｔｓｅｔ）以上継続した場合に初めて発信者の電話番号を着信履歴に残している。
【００１６】
また、本発明の電話機では、着信検出時からの経過時間を計測するタイマ手段を有し、着信が中断した時点で、タイマ手段で計測された着信継続時間が所定の時間（Ｔｓｅｔ）以下であった場合に、発信者の電話番号を着信履歴から削除している。
【００１７】
これによって、本発明の電話機では、“ワン切り”のような短時間しか継続しない着呼であれば、着信履歴に発信者番号が残ることを阻止することが可能となる。逆に、長時間継続する着呼に対しては（普通の発信者はある程度の間、電話を鳴らすはずである）、従来通り、着信履歴を残すことが可能である。
【００１８】
尚、本発明の電話機においては、上記の所定の時間（Ｔｓｅｔ）が電話機の使用者によって変更が可能となっており、この着信番号処理方式を採用するかどうかも電話機の使用者が設定可能となっている。また、本発明の電話機においては、着信が中断する前に電話機の使用者がオフフックし、通話が成立した場合に、経過時間に関わらず、発信者番号を着信履歴に残すことも可能である。
【００１９】
【発明の実施の形態】
次に、本発明の実施例について図面を参照して説明する。図１は本発明の一実施例による携帯電話機の構成を示すブロック図である。図１において、携帯電話機１はアンテナ１１と、制御部１２と、メモリ１３と、タイマ１４と、キー操作部１５と、表示部１６と、無線部１７と、信号処理部１８と、記録媒体１９と、スピーカ２０と、マイク２１とから構成されている。
【００２０】
アンテナ１１は電波の送受信を行い、キー操作部１５ではユーザが各種設定や暗証番号の操作、あるいは発着信の操作を行い、表示部１６は各種設定や暗証番号の操作、あるいは発着信の操作を行う際の操作メニューを表示する。無線部１７は無線関係の処理を行い、信号処理部１８は受信信号や送信信号を処理する。スピーカ２０は受信した音声を出力し、マイク２１は音声を入力する。
【００２１】
制御部１２はメモリ１３とタイマ１４とキー操作部１５と表示部１６と無線部１７と信号処理部１８とにそれぞれ接続され、それら各部の制御を行う。メモリ１３は各種設定内容や暗証番号等を記憶するとともに、着信時に発信者の電話番号（着信履歴）を記憶する着信メモリ１３１を備えている。
【００２２】
タイマ１４は制御部１２によって起動されると、時間経過をカウントし始め、制御部１２からの要求によってその測定時間を通知する。記録媒体１９は上記の各部の処理を実現するためのプログラム（コンピュータで実行可能なプログラム）を格納しており、制御部１２は記録媒体１９のプログラムを実行することで、上記の各部を制御する。
【００２３】
尚、本実施例では着信履歴を記録する機能を含む携帯電話機について述べるが、以下に述べる着信番号処理方法については、着信履歴を記録する機能を含む電話機であれば、公衆回線網に接続される通常の有線電話機等にも適用可能である。
【００２４】
図２は本発明の一実施例による着信番号処理方法を示すフローチャートである。これら図１及び図２を参照して本発明の一実施例による着信番号処理方法について説明する。尚、図２に示す処理は制御部１２が記録媒体１９のプログラムを実行することで実現される。
【００２５】
携帯電話機１の制御部１２は着信を検出すると（図２ステップＳ１）、タイマ１４をスタートさせ（Ｔ＝０）（図２ステップＳ２）、その後に発信者の番号を着信メモリ１３１に着信履歴として記憶する（図２ステップＳ３）。
【００２６】
制御部１２は着信が途中で途切れた場合（図２ステップＳ４）、タイマ１４の計測値Ｔが所定の値Ｔｓｅｔより大きいかどうかをチェックし（図２ステップＳ７）、タイマ１４の計測値Ｔが所定の値Ｔｓｅｔより小さければ、発信者番号を着信メモリ１３１から削除した上で（図２ステップＳ８）、タイマ１４の計測値Ｔをリセットし（Ｔ＝０）（図２ステップＳ９）、ステップＳ１に戻って着信の検出待ち状態となる。
【００２７】
制御部１２はタイマ１４の計測値Ｔが所定の値Ｔｓｅｔより大きければ、着信メモリ１３１の記憶内容をそのままにし、タイマ１４の計測値Ｔをリセットし（Ｔ＝０）（図２ステップＳ９）、ステップＳ１に戻って着信の検出待ち状態となる。
【００２８】
また、制御部１２は着信が途中で途切れず、着信継続中の場合に（図２ステップＳ４）、オフフックを検出すると（図２ステップＳ５）、そのまま通話に移行する（図２ステップＳ６）。
【００２９】
本実施例では着信継続時間（タイマ１４の計測値Ｔ）が所定の時間Ｔｓｅｔより短い状態で着信が終了した場合、着信メモリ１３１の着信履歴から発信者の電話番号を削除する。
【００３０】
逆に、本実施例では着信継続時間（タイマ１４の計測値Ｔ）が所定の時間Ｔｓｅｔより長いか、あるいは着信中にオフフックされて通話が成立した場合に限り、発信者の電話番号が着信メモリ１３１に着信履歴として残る。これらの場合、所定の時間Ｔｓｅｔとしては携帯電話機１の使用者によって、「５秒」あるいは「１０秒」という具合に好みによって変更することも可能である。
【００３１】
本実施例では上記のような処理動作を行うことによって、“ワン切り”のような短時間しか継続しない着呼であれば、着信メモリ１３１に着信履歴として発信者の電話番号が残ることを阻止することができる。逆に、長時間継続する着呼に対しては（普通の発信者はある程度の間、電話を鳴らすはずである）、従来通り、着信メモリ１３１に着信履歴として残すことができる。
【００３２】
これに対して、“ワン切り”の業者が発呼の継続時間を長くした場合、着呼した携帯電話機がオフフックされる可能性が高まり、“ワン切り”の業者に電話代金が請求されることになる。したがって、元来、無料で着信履歴を残すことができるという旨みが消え、採算が取れなくなるので、十分に抑止力となる。
【００３３】
図３は本発明の他の実施例による着信番号処理方法を示すフローチャートである。本発明の他の実施例による携帯電話機は、図１に示す本発明の一実施例による携帯電話機１と同様の構成となっているので、これら図１及び図３を参照して本発明の他の実施例による着信番号処理方法について説明する。尚、図３に示す処理は制御部１２が記録媒体１９のプログラムを実行することで実現される。
【００３４】
携帯電話機１の制御部１２は着信を検出すると（図３ステップＳ１１）、タイマ１４をスタートさせ（Ｔ＝０）（図３ステップＳ１２）、着信が途中で途切れた場合（図３ステップＳ１３）、タイマ１４の計測値Ｔをリセットし（Ｔ＝０）（図３ステップＳ１８）、ステップＳ１１に戻って着信の検出待ち状態となる。
【００３５】
制御部１２は着信が途中で途切れず、着信継続中の場合に（図３ステップＳ１３）、タイマ１４の計測値Ｔが所定の値Ｔｓｅｔより大きいかどうかをチェックし（図３ステップＳ１４）、タイマ１４の計測値Ｔが所定の値Ｔｓｅｔより小さい場合、オフフックを検出すると（図３ステップＳ１６）、そのまま通話に移行する（図２ステップＳ１７）。制御部１２はオフフックを検出しなければ（図３ステップＳ１６）、ステップＳ１３に戻って着信継続中のチェックを行う。
【００３６】
制御部１２はタイマ１４の計測値Ｔが所定の値Ｔｓｅｔより大きければ、その後に発信者の番号を着信メモリ１３１に着信履歴として記憶する（図３ステップＳ１５）。その後、制御部１２はオフフックを検出すると（図３ステップＳ１６）、そのまま通話に移行する（図２ステップＳ１７）。制御部１２はオフフックを検出しなければ（図３ステップＳ１６）、ステップＳ１３に戻って着信継続中のチェックを行う。
【００３７】
上述したように、本実施例では、上記の本発明の一実施例とは異なり、着信継続を確認し、タイマ１４の計測値Ｔが所定の値Ｔｓｅｔより大きい場合に初めて発信者の電話番号を着信メモリ１４に着信履歴として記憶する。
【００３８】
本実施例では、オフフックして通話状態になったとしても、着信継続時間（タイマ１４の計測値Ｔ）が所定値Ｔｓｅｔより小さければ、発信者の電話番号を着信履歴として残さない。
【００３９】
このように、着信継続時間が所定値以下である場合には、着信履歴を残さないという着信番号処理方式を採用することによって、悪質な“ワン切り”行為を防ぐことができる。また、当然のことながら、携帯電話機１の使用者の好みに応じて、この機能を使うか、使わないかの選択が可能である。
【００４０】
【発明の効果】
以上説明したように本発明は、着信時に発信者の電話番号を着信履歴として記録する機能を含む電話機において、着信を検出した時からの経過時間を計測し、その計測結果が予め設定された所定の時間以上の場合に発信者の電話番号を着信履歴として残すことによって、短時間しか継続しない着呼であれば、着信履歴に発信者番号が残ることを阻止することができるという効果が得られる。
【図面の簡単な説明】
【図１】本発明の一実施例による携帯電話機の構成を示すブロック図である。
【図２】本発明の一実施例による着信番号処理方法を示すフローチャートである。
【図３】本発明の他の実施例による着信番号処理方法を示すフローチャートである。
【図４】従来例による着信番号処理方法を示すフローチャートである。
【符号の説明】
１　携帯電話機
１１　アンテナ
１２　制御部
１３　メモリ
１４　タイマ
１５　キー操作部
１６　表示部
１７　無線部
１８　信号処理部
１８　記録媒体
２０　スピーカ
２１　マイク
１３１　着信メモリ
【図１】
2004128824.tif 000003
【図２】
2004128824.tif 000004
【図３】
2004128824.tif 000005
【図４】
2004128824.tif 000006